(57)【特許請求の範囲】
【請求項１】
周縁が熱接着部により密封された包装袋において、前記熱接着部内に前記包装袋の内部と連通する溝状の非熱接着部が設けられ、該溝状の非熱接着部に、少なくとも内面が断面角部を有する予め立体形状に成形された合成樹脂製の樋状の補強部材が装着されていることを特徴とする包装袋。
【請求項２】
前記補強部材が前記溝状の非熱接着部、あるいは、前記溝状の非熱接着部を形成する前記熱接着部、あるいは、これら両部において前記包装袋に固着されていることを特徴とする請求項１記載の包装袋。
【請求項３】
前記包装袋において前記溝状の非熱接着部が設けられた前記熱接着部が略つの状に設けられていることを特徴とする請求項１、２のいずれかに記載の包装袋。
【請求項４】
前記補強部材が、その外面に設けられた長手方向に対して垂直に突出した薄壁部を有していることを特徴とする請求項１記載の包装袋。
【請求項５】
前記溝状の非熱接着部が設けられた前記熱接着部の周縁辺で前記補強部材を残した状態で前記溝状の非熱接着部を横截するための開始端となる横截切欠が設けられていることを特徴とする請求項１〜４のいずれかに記載の包装袋。
【請求項６】
前記包装袋が少なくとも外層と内層の２層の積層体から構成され、前記積層体の外層を構成する合成樹脂製のフィルムに、包装袋になったときに前記補強部材を残した状態で前記溝状の非熱接着部を横截するための横截切目が刻設されていることを特徴とする請求項１〜５のいずれかに記載の包装袋。
【請求項７】
前記横截切目が前記横截切欠に連接して刻設されていることを特徴とする請求項６記載の包装袋。
【請求項８】
前記横截切目がパルス発振型レーザーによる少なくとも１本の連続あるいは不連続の切目線であることを特徴とする請求項６、７のいずれかに記載の包装袋。
【発明の詳細な説明】
【０００１】
【発明の属する技術分野】
本発明は、液状、顆粒状、粉状物などの流動性を有する内容物を密封包装し、使用時に内容物を他の容器等に移し替えて使用する詰め替え用包装袋に関し、更に詳しくは、内容物を他の容器に移し替える際に、内容物を外にこぼすことなく、確実かつ容易に移し替えることができる注ぎ口を有する詰め替え用包装袋に関するものである。
【０００２】
【従来の技術】
従来より、液状、顆粒状、粉状物などの流動性を有する内容物を密封包装する詰め替え用包装袋としては、自立性があり立体容器としての特徴も兼ね備えたスタンディングパウチが多く用いられている。また、使用時に内容物を外にこぼすことなく他の容器に確実に、かつ、容易に移し替えることができるように、注ぎ口となる開口部を包装袋のコーナー部に設けるとか、包装袋の上部に口径の小さい注ぎ口となる部分を設けるといった方法が採られている。しかし、前者の方法は包装袋の注ぎ口が柔らかい上に、移し替える容器の口部は狭く構成されており、使用者に細心の注意を必要とした。また、後者の方法は、前者の方法に比べると操作性や確実性は、ある程度改善されるものの、注ぎ口が移し替え途中で塞がりやすく、内容物を誤って外にこぼすといったことがあり、なお問題の残る方法であった。
【０００３】
また、上記問題を解決する方法として、包装袋の上部にプラスチック成形物等の別体の注出具を取り付ける方法があるが、これは移し替え時の操作性や確実性、容易性において優れるものの、注出具のコストが高い上に注出具の取り付けや内容物の充填が容易ではなく、注出具を取り付けた包装袋を移し替え用包装袋として用いることは採算の上からも、また、製造の上からも到底できないものであった。
【０００４】
【発明が解決しようとする課題】
そこで本発明は、上記問題に鑑みてなされたものであり、その目的とするところは、安価で生産性がよく、かつ、内容物の充填も容易であり、しかも移し替え時の操作性や確実性、容易性においても優れた注ぎ口を有する包装袋を提供することにある。
【０００５】
【課題を解決するための手段】
本発明者等は、上記のような問題点を解決すべく種々研究を重ねた結果、請求項１記載の発明の包装袋は、周縁が熱接着部により密封された包装袋において、前記熱接着部内に前記包装袋の内部と連通する溝状の非熱接着部が設けられ、該溝状の非熱接着部に、少なくとも内面が断面角部を有する予め立体形状に成形された合成樹脂製の樋状の補強部材が装着されていることを特徴とするものである。このように構成することにより、補強部材を装着した溝状の非熱接着部が注ぎ口となる。また、補強部材により剛性のある注ぎ口となるために、操作性においては的確に容器の口部に差し込むなり、あてがうなりすることができ、内容物を外にこぼすことがなくなる。さらに、注ぎ口が移し替え途中に塞がることもなく、内容物を最後まで確実に、かつ、容易に移し替えることができる。
【０００６】
また、補強部材を少なくとも内面が断面角部を有する予め立体形状に成形された樋状とすることにより、特に内容物が液状物の場合においては、樋状からなる補強部材の内側が断面Ｕ字形状、断面半円形状、あるいは、断面円形状等の角部を有さない形状に比べて、最初に注ぎ出てくる内容物の方向を安定させることができ、注ぎ出た最初の内容物をこぼすことがなくなる。
【０００７】
また、請求項２記載の発明は、請求項１記載の包装袋において、前記補強部材が前記溝状の非熱接着部、あるいは、前記溝状の非熱接着部を形成する前記熱接着部、あるいは、これら両部において前記包装袋に固着されていることを特徴とするものである。このように構成することにより、補強部材を溝状の非熱接着部に所望の状態で設けることができる。
【０００８】
また、請求項３記載の発明は、請求項１、２のいずれかに記載の包装袋において、前記溝状の非熱接着部が設けられた前記熱接着部が略つの状に設けられていることを特徴とするものである。このように構成することにより、注ぎ口となる部分が包装袋から突出しているために、注ぎ口を一目で認識することができると共に、包装袋に収容された内容物を他の容器等に移し替える際に、注ぎ口を他の容器等の口部に差し込むなり、あてがうなりして内容物を注ぎ出すことができ、操作性や確実性、容易性が一層高まり、内容物を外にこぼすことなく、移し替えることができる。
【０００９】
また、請求項４記載の発明は、請求項１記載の包装袋において、前記補強部材が、その外面に設けられた長手方向に対して垂直に突出した薄壁部を有していることを特徴とするものである。このように構成することにより、前記薄壁部を包装袋の非熱接着部を形成する熱接着部に合わせて熱接着することにより前記熱接着部と一体にすることができ、補強部材を容易に溝状の非熱接着部に設けることができる。また、前記薄壁部を前記補強部材側が肉厚に形成された断面楔形状とすることにより、一層容易に前記熱接着部と一体にすることができる。
【００１０】
また、請求項５記載の発明は、請求項１〜４のいずれかに記載の包装袋において、前記溝状の非熱接着部が設けられた前記熱接着部の周縁辺で前記補強部材を残した状態で前記溝状の非熱接着部を横截するための開始端となる横截切欠が設けられていることを特徴とするものである。このように構成することにより、注ぎ口を設けるための開始端が明確になると共に、引き裂きのきっかけを与えることができる。
【００１１】
また、請求項６記載の発明は、請求項１〜５のいずれかに記載の包装袋において、前記包装袋が少なくとも外層と内層の２層の積層体から構成され、前記積層体の外層を構成する合成樹脂製のフィルムに、包装袋になったときに前記補強部材を残した状態で前記溝状の非熱接着部を横截するための横截切目が刻設されていることを特徴とするものである。このように構成することにより、注ぎ口を設けるために包装袋を引き裂く時に抵抗なくスムーズに引き裂くことができる。
【００１２】
また、請求項７記載の発明は、請求項６記載の包装袋において、前記横截切目が前記横截切欠に連接して刻設されていることを特徴とするものである。このように構成することにより、引き裂き開始端となる横截切欠から横截切目へスムーズに引き裂くことができ、容易に注ぎ口を設けることができる。
【００１３】
また、請求項８記載の発明は、請求項６、７のいずれかに記載の包装袋において、前記横截切目がパルス発振型レーザーによる少なくとも１本の連続あるいは不連続の切目線であることを特徴とするものである。このように構成することにより、パルス発振型レーザーの波長を選択することで、前記外層を構成するフィルムのみに横截切目を刻設することができる。
【００１４】
【発明の実施の形態】
上記の本発明について、以下に詳述する。
まず、上記の本発明において、包装袋の本体を構成する積層体の内層として使用する樹脂としては、積層体を包装袋とするときに熱接着により封止できるものであればよく、たとえば、低密度ポリエチレン、中密度ポリエチレン、高密度ポリエチレン、直鎖状（線状）低密度ポリエチレン、ポリプロピレン、エチレン─プロピレン共重合体、エチレン─酢酸ビニル共重合体、アイオノマー樹脂、エチレン─アクリル酸共重合体、エチレン─アクリル酸メチル共重合体、エチレン─メタクリル酸共重合体等の樹脂の一種ないしそれ以上からなる樹脂ないしはこれらをフィルム化したシートを使用することができ、その厚さとしては30〜500 μｍが適当である。
【００１５】
また、包装袋の本体を構成する積層体の外層として使用する合成樹脂製のフィルムとしては、包装袋を構成する基本素材となることから、機械的、物理的、化学的等において優れた性質を有する合成樹脂を用いることができ、たとえば、ポリエステル系、ポリアミド系、ポリプロピレン系、ポリカーボネート系、ポリアセタール系等の樹脂を用いることができる。また、これらの樹脂を用いたフィルムとしては、未延伸フィルムあるいは１軸方向または２軸方向に延伸した延伸フィルム等のいずれのものでも使用することができ、フィルムの厚さとしは基本素材としての強度、剛性などについて必要最低限に保持され得る厚さであればよく、厚過ぎるとレーザー加工不良等を発生して引き裂き性が低下し、また、コストが上昇するという欠点もあり、逆に薄過ぎると強度、剛性等が低下して好ましくない。本発明においては、上記のような理由から12〜30μｍ程度が適当である。また、前記合成樹脂製のフィルムは、必要に応じてポリ塩化ビニリデンが塗工されたフィルムやアルミニウムや酸化珪素、酸化アルミニウム、酸化インジウム、酸化錫、酸化ジルコニウム等の無機物の蒸着層が形成されたフィルムとしてバリアー性を有する構成としてもよい。また、前記外層として使用する合成樹脂製のフィルムは、前記合成樹脂製フィルムの内層側に一般的には印刷が施されることが多いために、前記外層として使用する合成樹脂製フィルムは印刷適性が求められ、１軸方向または２軸方向に延伸した延伸フィルムが好適である。
【００１６】
さらに、本発明においては、前記内層と前記外層の間に中間層を設けてもよく、前記中間層は通常、前記内層と前記外層だけでは包装袋としての機能を十分に果たすことができない場合等に設けられる。前記機能としては、気体遮断性、機械的強靱性、耐屈曲性、耐突き刺し性、耐衝撃性、耐磨耗性、耐寒性、耐薬品性等であり、包装袋として要求されるこれらの最終的な機能を中間層を設けることで達成するものである。該中間層として用いられる基材としては、たとえば、アルミニウム、鉄、銅、錫等の金属箔、あるいは、ポリエチレンテレフタレート、ポリアミド、ポリエチレン，ポリプロピレン等のポリオレフィン、ポリ塩化ビニル、ポリカーボネート、ポリビニルアルコール、エチレン─プロピレン共重合体、エチレン─酢酸ビニル共重合体ケン化物等のフィルムあるいはこれらにポリ塩化ビニリデンを塗工したフィルムないしはアルミニウムや酸化珪素、酸化アルミニウム、酸化インジウム、酸化錫、酸化ジルコニウム等の無機物の蒸着を施したフィルムあるいはポリ塩化ビニリデン等のフィルムなどを用いることができる。また、これら基材の一種ないしそれ以上を組み合わせて使用することができる。なお、上記基材の厚さとしては、包装袋として要求される機能を満たすことができれば良いのであって、必要に応じて適宜に選ぶことができる。
【００１７】
また、本発明の包装袋の本体を構成する前記積層体は前記外層、前記内層、あるいは、必要に応じて前記中間層を周知のドライラミネーション法、Ｔダイ押し出し法等を適宜用いて貼り合わせることにより得ることができる。前記Ｔダイ押し出し法を用いる場合にあっては、接着性を向上させる目的で被押し出し側に必要に応じてアンカーコート剤を予め塗工しても構わない。
【００１８】
次に、本発明において、上記の外層として使用する合成樹脂製フィルムに包装袋になった時に横截切目を刻設する方法としては、たとえば、加熱した針を押しつけるニードルパンチ法、エンボスロール法、研磨ロール法、砥石、研磨テープ等を用いてフィルムを溶融し、穿孔する熱溶融穿孔法、ナイフ、カッター等を用いる物理的穿孔法、レーザービーム加工、コロナ放電、プラズマ放電等の加工法等の方法によって行うことができる。本発明において、外層として使用する合成樹脂製フィルムに横截切目を刻設するに当たっては、該合成樹脂製フィルムの単体の状態、あるいは、外層に内層として使用する熱接着性を有する樹脂ないし該樹脂をフィルム化したシートを積層した２層からなる積層体の状態、あるいは、前記外層と前記内層との間に上記の中間層を設けた少なくとも３層からなる積層体の状態、さらには、該積層体を使用してなる包装袋の状態等いずれの状態において刻設してもよく、これによって外層として使用する合成樹脂製フィルムに横截切目を設けることができる。
【００１９】
本発明において、横截切目の形状としては、直線状、曲線状、ミシン目線状、破線状等の任意の形状でよく、その本数は、一本ないしそれ以上でよく、また、連続状であっても、不連続状等のいずれでもよい。さらに、横截切目の構造は、貫通孔、ハーフカットの状態あるいはそれらが混在する状態のいずれの状態でもよく、本発明では、横截切目部分が弱体化して包装袋の切目として作用すればよい。
【００２０】
ところで、本発明において、外層として使用する合成樹脂製フィルムに切目を設ける方法としては、パルス発振型のレーザーを用いてミシン目状の切目を刻設する方法が最も適した方法である。これに用いるレーザーの種類としては、たとえば、炭酸ガスレーザー、ＹＡＧレーザー、半導体レーザー、アルゴンイオンレーザー等で可能であり、特に限定されるものではない。しかし、外層として使用する合成樹脂製フィルムに切目を刻設する場合は、用いるフィルムがレーザー発振波長を吸収することが必要である。たとえば、炭酸ガスレーザーを使用する場合、炭酸ガスレーザー光の10.6ミクロンの波長は、ポリアミドフィルム（ナイロン─６フィルム）に選択的に吸収されやすく、線状低密度ポリエチレンやエチレン─酢酸ビニル共重合体を主体とするフィルムではその殆どが透過される。そのため、内層の熱接着性を有するフィルムとして、線状低密度ポリエチレンやエチレン─酢酸ビニル共重合体を主体とするフィルムを用い、外層として使用する合成樹脂製フィルムに２軸延伸ポリアミドフィルム（ナイロン─６フィルム）を用い、その両者を組み合わせて積層してなる２層からなる積層体を使用し、これに炭酸ガスレーザーを照射してレーザー加工を行うと、前記の２軸延伸ポリアミドフィルム（ナイロン─６フィルム）のみに選択的に切目を刻設することができると共に、前記切目は線状低密度ポリエチレンやエチレン─酢酸ビニル共重合体を主体とするフィルムが溶融して前記切目を閉塞することがなく、極めて良好に包装袋を引き裂くことができる。また、前記積層体を用いてなる包装袋の状態で炭酸ガスレーザーを照射してレーザー加工を行っても、上記と同様な結果を得ることができる。上記したようにレーザー加工によって、その波長を選択することにより、外層として使用する合成樹脂製フィルムに選択的に切目を刻設することができる。
【００２１】
また、横截切欠の形成方法としては、たとえば、Ｉ字形やＶ字形、あるいは、その他の多角形状等の刃型を用いて包装袋の所定箇所を型抜きすることにより容易に形成することができる。
【００２２】
次に、本発明の補強部材について説明する。
本発明の補強部材は、包装袋に収納された内容物を他の容器に移し替える際に、包装袋の注ぎ口となる部分に確かな開口状態を保証すると共に注ぎ口に剛性を持たせ、的確に容器の口部に差し込むなり、あてがうなりすることができ、内容物を外にこぼすことを防止するために設けるものである。このような補強部材としては、内容物が通る通路を備えた剛性のある成形品を用いることができるが、内容物を注ぎ出す際に内容物の方向を安定させ、外にこぼすことがないようにするために、補強部材の内容物が通る通路となる面が断面角部を有する形状に形成されている必要がある。このように補強部材の内容物が通る通路となる面を断面角部を有する形状に形成することにより、内容物を注ぎ出す際の内容物の出てくる方向を安定させることができ、外にこぼすことを防止することができる。
【００２３】
また、補強部材には該補強部材の外面（内容物が通る通路となる面とは反対の面）に該補強部材の長手方向に対して垂直な薄壁部を設けてもよく、このような薄壁部を設けることにより、該補強部材を非熱接着部に装着し易くすると共に前記非熱接着部を形成する熱接着部に前記薄壁部がくるように合わせ前記熱接着部を熱接着することにより、前記補強部材を包装袋に容易に固着することができる。また、前記薄壁部を補強部材側が肉厚に形成された楔形状とすることにより、一層容易に包装袋に固着することができる。
【００２４】
このような補強部材に使用できる材料としては、たとえば、低密度ポリエチレン、中密度ポリエチレン、高密度ポリエチレン、直鎖状（線状）低密度ポリエチレン、ポリプロピレン、エチレン─プロピレン共重合体、エチレン─酢酸ビニル共重合体、アイオノマー樹脂、エチレン─アクリル酸共重合体、エチレン─アクリル酸メチル共重合体、エチレン─メタクリル酸共重合体、ポリスチレン、アクリルニトリル─ブタジエン─スチレン共重合体、ポリエチレンテレフタレート、ポリウレタン、ポリアミド、あるいは、他の半剛性ないし剛性の合成樹脂などを挙げることができるが、包装袋の内層に用いる熱接着性を有する樹脂と熱によって溶融し相互に融着し得るものが好適である。また、前記補強部材は必要に応じて顔料等で着色されていてもよい。また、前記補強部材は周知のインジェクション成形法、ブロー成形法、押し出し加工法、あるいは、折り曲げ加工法（板状物からの）等で適宜作製すればよい。
【００２５】
次に、上記の積層体および補強部材を用いて製造する本発明の包装袋の製造方法について説明する。
本発明の包装袋の本体の形態としては、三方シールタイプ、四方シールタイプ、スタンディングパウチ、ガセットタイプ、封筒貼りシールタイプ、ピロータイプ等を任意に選ぶことができ、本発明の包装袋の特徴である内容物を注ぎ出す注ぎ口の構造および形態を採れるものであれば特に限定されるものではない。
【００２６】
したがって、本発明の包装袋の製袋には、その本体部分の形態に応じて、それぞれ周知の製袋機を用いることができ、これに注ぎ口となる部分および補強部材、切欠、切目を設けるための、たとえば、補強部材取り付け装置、型抜き装置、切目刻設装置など必要な加工装置を製袋機に組み込むなり、あるいは、別ラインに設けるなりすることによって本発明の包装袋を製造することができる。
【００２７】
次に、図面に示す実施例を用いてさらに詳しく説明する。
図１は本発明にかかる包装袋の一実施例の平面図、図２〜６は本発明にかかる補強部材の形状を示す実施例、図７は図１の本発明にかかる包装袋の溝状の非熱接着部に補強部材を装着した状態を示す要部拡大図、図８は図１の包装袋の層構成図であり、図中の１は包装袋、２は底部熱接着部、３，４は胴部熱接着部、５は溝状の非熱接着部、６は注ぎ口形成熱接着部、７，７ａ，７ｂ，７ｃ，７ｄ，７ｅは補強部材、８は注ぎ口形成用切欠、９は注ぎ口形成用切目、１０は熱接着部、５０は薄壁部、６０，６１は内面、７０は外層、８０は内層、９０は積層体、Ａは充填口密封用熱接着部をそれぞれ示す。
【００２８】
図１は本発明にかかる包装袋の一実施例の平面図であって、包装袋１は本体部分が胴材と底材とからなるスタンディングパウチ形態に製袋された袋であって、図８に示すように前記胴材と前記底材とが15μｍの２軸延伸ナイロンフィルム（片面コロナ放電処理）からなる外層70と120 μｍの線状低密度ポリエチレンフィルム（片面コロナ放電処理）とからなる内層80とを２液反応型ポリウレタン系接着剤を用いて、コロナ放電処理面同士を周知のドライラミネーション法で貼り合わせた積層体90から構成されている。包装袋１の底部には舟型形状の底部熱接着部２が形成されると共に、胴部には該胴部の両端部に胴部熱接着部３、４が形成されている。さらに、前記包装袋１の上部隅角部（図１において左上部）に前記包装袋１の内部と連通する溝状の非熱接着部５が略砲弾形状にトリミングされて形成された注ぎ口形成熱接着部６によって形成されていると共に、前記溝状の非熱接着部５に成形品からなる補強部材７が設けられている。また、前記略砲弾形状の注ぎ口形成熱接着部６の筒状部の先端側周縁辺の対向する位置に注ぎ口形成用切欠８、８が形成されると共に、前記注ぎ口形成用切欠８、８を繋ぐ線上に注ぎ口形成用切目９が形成されている。また、前記包装袋１の前記略砲弾形状の注ぎ口形成熱接着部６と前記胴部熱接着部４との間を繋ぐ周縁部に設けられた充填口密封用熱接着部Ａは包装袋１の製袋段階では熱接着されておらず開口状態になっていて、この部分から内容物を充填するように構成されている。
【００２９】
また、前記溝状の非熱接着部５に設ける前記補強部材７は、通常包装袋１の本体部分を構成する内層と同じ樹脂から構成されているものであって、前記補強部材７の樋形状の代表的なものとして、たとえば、図２−（Ａ）〜図２−（Ｅ）に示すように内容物が通る通路側を形成する内面60が断面角部を有する形状に形成された補強部材7aを挙げることができる。図２−（Ａ）は円柱を長手方向にＶ字形状に切り欠いた樋形状、図２−（Ｂ）はＶ字形状をした樋形状、図２−（Ｃ）は断面が略４分の３円の円柱であって、該円柱の断面を前記略４分の３円の断面の一辺を含む五角形状に切り欠くと共に該円柱の前記略４分の３円の断面の円周上の対向する箇所が前記略４分の３円の断面の一辺に対して垂直な辺となるように長手方向に切り欠いた樋形状、図２−（Ｄ）は五角形状の筒状体の一辺を切り欠いた樋形状、図２−（Ｅ）は六角形状の筒状体の一角を切り欠いた樋形状で構成されている。
【００３０】
また、前記補強部材７の樋形状の他の代表的なものとして、たとえば、図３−（Ａ）〜図３−（Ｅ）に示すように図２−（Ａ）〜図２−（Ｅ）に示した補強部材7aの開口部と対向する位置の外面の長手方向に垂直に突出した前記補強部材7a側が肉厚に形成された楔形状の薄壁部50を有した形状に形成された補強部材7bの構成も挙げることができる。前記薄壁部50は図３−（Ａ）〜図３−（Ｅ）においては長手方向に連続したものを示したが、長手方向に不連続に形成されていてもよいし、長手方向の一部に突出した状態で形成されていても構わない。
【００３１】
一方、前記補強部材７の管状の代表的なものとして、たとえば、図４−（Ａ）〜図４−（Ｄ）に示すように内容物が通る通路を形成する内面61が断面角部を有する形状に形成された補強部材7cを挙げることができる。図４−（Ａ）は円柱形状の中心部に断面３角形状の通路が形成されたもの、図４−（Ｂ）は略四角柱の中心部に断面３角形状の通路が形成されたもの、図４−（Ｃ）は略三角柱の中心部に断面３角形状の通路が形成されたもの、図４−（Ｄ）は図４−（Ｃ）の両端部に中心部が断面３角形状にくり抜かれた略四角形の板状物が嵌み込まれたように形成されたものである。図４−（Ａ）〜図４−（Ｄ）に示したものは通路を断面三角形状として示したが、これは通路を形成する内面61が断面角部を有する形状の代表的な例として示したものであり、四角形状、五角形状、六角形状等任意の多角形状であってもよい。また、外形についても図で示した実施例の形状にこだわることなく各種形状をとることができる。
【００３２】
また、別の管状の代表的なものとして、たとえば、図５−（Ａ）〜図５−（Ｃ）に示すように図４−（Ａ）〜図４−（Ｃ）に示した管状の補強部材7cの外面の長手方向に垂直に前記補強部材7c側が肉厚に形成された楔形状の薄壁部50を有した形状に形成された補強部材7dを挙げることができる。また、図５−（Ａ）〜図５−（Ｃ）に示した補強部材7dは前記補強部材7dの外面の長手方向一箇所に薄壁部50を設けたものであるが、二箇所設けた補強部材7eであってもよく、この場合は二箇所設けた薄壁部50，50は図６−（Ａ）〜図６−（Ｃ）に示すように必ず一方の薄壁部50に対して他方の薄壁部50は補強部材に対して180 度回転した位置に設ける必要がある。
【００３３】
この理由としては、補強部材に設ける薄壁部は補強部材を包装袋に固着する目的で設けるものであり、補強部材を設ける溝状の非熱接着部を形成する熱接着部に、この薄壁部を熱接着させるためのものである。そのために、補強部材に薄壁部を二箇所設ける場合には、一方の薄壁部に対して他方の薄壁部は補強部材に対して180 度の位置関係にあることが重要である。
【００３４】
次に、上記の補強部材を包装袋の溝状の非熱接着部に装着する形態について説明する。
図７−（Ａ）〜図７−（Ｃ）は図１の本発明にかかる包装袋の溝状の非熱接着部に補強部材を装着した状態を示す要部拡大図である。図７−（Ａ）は補強部材を溝状の非熱接着部に装着する形態を示した一実施例であって、包装袋１の略砲弾形状の注ぎ口形成熱接着部６によって形成された溝状の非熱接着部５に補強部材７ａが、タイトな状態で装着されているだけのものである。図７−（Ｂ）は補強部材の他の装着形態を示す一実施例であって、包装袋１の略砲弾形状の注ぎ口形成熱接着部６によって形成された溝状の非熱接着部５に補強部材７ａが設けられると共に前記溝状の非熱接着部５の内面と前記補強部材７ａの外面とが熱接着部１０で熱接着されているものである。このように前記溝状の非熱接着部５の内面と前記前記補強部材７ａの外面とを熱接着部１０で熱接着することにより、図７−（Ａ）のように設けたものより、一層安定した状態で補強部材７ａを前記溝状の非熱接着部５に装着することができる。図７−（Ｃ）は補強部材の他の装着形態を示す一実施例であって、包装袋１の略砲弾形状の注ぎ口形成熱接着部６によって形成された溝状の非熱接着部５に補強部材７ｂが設けられると共に前記略砲弾形状の注ぎ口形成熱接着部６で補強部材７ｂの楔形状の薄壁部５０が熱接着されて補強部材７ｂが前記溝状の非熱接着部５に固着されているものである。図７−（Ｃ）においては前記補強部材７ｂを前記補強部材７ｂの前記薄壁部５０で前記略砲弾形状の注ぎ口形成熱接着部６で熱接着したものを示したが、図７−（Ｂ）で示したように前記補強部材７ｂの外面と前記溝状の非熱接着部５の内面とが熱接着されていてもよい。同様に上記した各種形態の補強部材についても図７−（Ａ）〜図７−（Ｃ）で説明したいずれかの装着形態で包装袋に装着することができることはいうまでもない。
【００３５】
このように構成された包装袋１は、内容物充填口となる充填口密封用熱接着部Ａの幅も比較的広いために、この部分から通常のスタンディングパウチと同様に、自動充填包装機により容易に内容物を充填すると共に充填口を熱接着することができる。内容物が充填された包装袋１は、自立性があり外観的にも優れると共に取り扱いも容易である。また、注ぎ口となる部分が略つの状に突出するように設けられているので一目で注ぎ口であることがわかる。
【００３６】
また、内容物を他の容器に移し替える際には、前記略砲弾形状の注ぎ口形成熱接着部６の端縁辺に設けられた横截するための開始端となる横截切欠８から、前記横截切欠８に連接して設けられた横截切目９へ連続して引き裂いて注ぎ口を設けることができる。その後に、包装袋１を手でもって、注ぎ口に設けられた補強部材７が装着された部分を他の容器の口部にあてがうことにより、注ぎ口を容器の口部にしっかりと固定することができるので、包装袋１を持ち上げて徐々に傾けるだけで、途中で注ぎ口が塞がることもなく、確実に、しかも容易に内容物を移し替えることができる。さらに、前記補強部材は内容物が通る通路となる内面が断面角部を有する形状に形成されていることにより、最初に注ぎ口から出てくる内容物の方向も一定しており、一切外に内容物をこぼすこともない。
【００３７】
【発明の効果】
本発明の包装袋は、今まで縷々説明してきたように、安価で生産性がよく、かつ、内容物の充填も容易であると共に、移し替え時の操作性や確実性、容易性において優れた注ぎ口を有するという効果を奏するものである。また、特に内容物が液状物の場合においては、樋状あるいは管状からなる補強部材の内面を断面角部を有する形状とすることにより、内容物を注ぎ出す際に内容物の方向を安定さすことができて、内容物を最初の一滴から外にこぼすことがなくなるという効果を奏するものである。
【図面の簡単な説明】
【図１】本発明にかかる包装袋の一実施例の平面図である。
【図２】〜【図６】本発明にかかる補強部材の形状を示す実施例である。
【図７】図１の本発明にかかる包装袋の溝状の非熱接着部に補強部材を装着した状態を示す要部拡大図である。
【図８】  図１の包装袋の層構成図である。
【符号の説明】
１                              包装袋
２                              底部熱接着部
３，４                          胴部熱接着部
５                              溝状の非熱接着部
６                              注ぎ口形成熱接着部
７，7a，7b，7c，7d，7e          補強部材
８                              注ぎ口形成用切欠
９                              注ぎ口形成用切目
10                              熱接着部
50                              薄壁部
60，61                          内面
70                              外層
80                              内層
90                              積層体
Ａ                              充填口密封用熱接着部
【図１】
0004531147.tif 000002
【図８】
0004531147.tif 000003
【図２】
0004531147.tif 000004
【図３】
0004531147.tif 000005
【図４】
0004531147.tif 000006
【図５】
0004531147.tif 000007
【図６】
0004531147.tif 000008
【図７】
0004531147.tif 000009